(57)【要約】      （修正有）【課題】強度を向上させることができる土嚢袋を提供するものである。【解決手段】土嚢袋１０は、袋体１の底面１ｂにおいて、第１の延部５Ｃと第２’の延部５’Ｄとは、袋体１の底面１ｂの中心Ｏを通り、第１の延部５Ｃの上に第２’の延部５’Ｄが又は第２’の延部５’Ｄの上に第１の延部５Ｃが重なると共に、該重なった第１の延部５Ｃと第２’の延部５’Ｄとは接続されている。同様にして、袋体１の底面１ｂにおいて、第２の延部５Ｄと第１”の延部５”Ｃ、および第１’の延部５’Ｃと第２”の延部５”Ｄとは接続されている。【選択図】図３
2008223248.tif 000002
【特許請求の範囲】
【請求項１】
上部開口部より土を入れて収納する有底円筒形状の透水性の袋体と、
この袋体の側面に取り付けられると共に、前記袋体の底面に略平行な複数の環状側面帯体と、
前記袋体に離間して取り付けられ、前記袋体の上部開口部より突出して設けられたＵターン部を有した第1の吊り帯体と、
この第1の吊り帯体の前記Ｕターン部の一方から前記袋体の底面まで延びた部位は第１の延部であり、前記第1の吊り帯体の前記Ｕターン部の他方から前記袋体の底面まで延びた部位は第２の延部であり、前記第１の延部及び前記第２の延部は前記袋体の側面及び底面に取り付けられ、
前記袋体に離間して取り付けられ、前記袋体の上部開口部より突出して設けられたＵターン部を有した第1’の吊り帯体と、
この第1’の吊り帯体の前記Ｕターン部の一方から前記袋体の底面まで延びた部位は第１’の延部であり、前記第1’の吊り帯体の前記Ｕターン部の他方から前記袋体の底面まで延びた部位は第２’の延部であり、前記第１’の延部及び前記第２’の延部は前記袋体の側面及び底面に取り付けられ、
前記袋体に離間して取り付けられ、前記袋体の上部開口部より突出して設けられたＵターン部を有した第1”の吊り帯体と、
この第1”の吊り帯体の前記Ｕターン部の一方から前記袋体の底面まで延びた部位は第１”の延部であり、前記第1”の吊り帯体の前記Ｕターン部の他方から前記袋体の底面まで延びた部位は第２”の延部であり、前記第１”の延部及び前記第２”の延部は前記袋体の側面及び底面に取り付けられ、
底面視、時計回りに、前記第１の延部、前記第２の延部、前記第１’の延部、前記第２’の延部、前記第１”の延部、前記第２”の延部の順に配置され、
前記袋体の底面において、前記第１の延部と前記第２’の延部とは、前記袋体の底面の中心を通り、前記第１の延部の上に前記第２’の延部が又は前記第２’の延部の上に前記第１の延部が重なると共に、該重なった前記第１の延部と前記第２’の延部とは接続され、
前記袋体の底面において、前記第２の延部と前記第１”の延部とは、前記袋体の底面の中心を通り、前記第２の延部の上に前記第１”の延部が又は前記第１”の延部の上に前記第２の延部が重なると共に、該重なった前記第１の延部と前記第２’の延部とは接続され、
前記袋体の底面において、前記第１’の延部と第２”の延部とは、前記袋体の底面の中心を通り、前記第１’の延部の上に前記第２”の延部が又は前記第２”の延部の上に前記第１’の延部が重なると共に、該重なった前記第１’の延部と前記第２”の延部とは接続されている
ことを特徴とする土嚢袋。
【請求項２】
袋体の上部開口部より突出して設けられた第1の吊り帯体のＵターン部の折り返し部を含んで前記第1の吊り帯体の長手方向に沿って折られると共に前記第1の吊り帯体を重ねて接合された第１の重ね部と、
この第１の重ね部の前記第1の吊り帯体のＵターン部の折り返し部を残して前記第1の吊り帯体のＵターン部の中途部同士が接合された第２の重ね部と、
前記袋体の上部開口部より突出して設けられた第1’の吊り帯体のＵターン部の折り返し部を含んで前記第1’の吊り帯体の長手方向に沿って折られると共に前記第1の吊り帯体を重ねて接合された第１’の重ね部と、
この第１’の重ね部の前記第1’の吊り帯体のＵターン部の折り返し部を残して前記第1’の吊り帯体のＵターン部の中途部同士が接合された第２’の重ね部と、
前記袋体の上部開口部より突出して設けられた第1”の吊り帯体のＵターン部の折り返し部を含んで前記第1”の吊り帯体の長手方向に沿って折られると共に前記第1”の吊り帯体を重ねて接合された第１”の重ね部と、
この第１”の重ね部の前記第1”の吊り帯体のＵターン部の折り返し部を残して前記第1”の吊り帯体のＵターン部の中途部同士が接合された第２”の重ね部と、
を備えていることを特徴とする請求項１記載の土嚢袋。
【請求項３】
袋体の底面において、第１の延部と第２’の延部とが接続された第１の接続体は、前記袋体の底面の中心からそれぞれ前記袋体の底面の半径の１／２を超えない範囲で前記袋体の底面に取り付けない第１の非接合部と、前記第１の非接合部を除いた前記第１の接続体の前記袋体の底面に取り付ける第１の接合部とを有し、
前記袋体の底面において、第２の延部と第１”の延部とが接続された第２の接続体は、前記袋体の底面の中心からそれぞれ前記袋体の底面の半径の１／２を超えない範囲で前記袋体の底面に取り付けない第２の非接合部と、前記第１の非接合部を除いた前記第２の接続体の前記袋体の底面に取り付ける第２の接合部とを有し、
前記袋体の底面において、第１’の延部と第２”の延部とが接続された第３の接続体は、前記袋体の底面の中心からそれぞれ前記袋体の底面の半径の１／２を超えない範囲で前記袋体の底面に取り付けない第３の非接合部と、前記第３の非接合部を除いた前記第３の接続体の前記袋体の底面に取り付ける第３の接合部とを有している
ことを特徴とする請求項１記載の土嚢袋。
【請求項４】
上部開口部より土を入れて収納する有底円筒形状の透水性の袋体と、
この袋体の側面に取り付けられると共に、前記袋体の底面に略平行な複数の環状側面帯体と、
前記袋体に離間して取り付けられ、前記袋体の上部開口部より突出して設けられたＵターン部を有した第1の吊り帯体と、
この第1の吊り帯体の前記Ｕターン部の一方から前記袋体の底面まで延びた部位は第１の延部であり、前記第1の吊り帯体の前記Ｕターン部の他方から前記袋体の底面まで延びた部位は第２の延部であり、前記第１の延部及び前記第２の延部は前記袋体の側面及び底面に取り付けられ、
前記袋体に離間して取り付けられ、前記袋体の上部開口部より突出して設けられたＵターン部を有した第1’の吊り帯体と、
この第1’の吊り帯体の前記Ｕターン部の一方から前記袋体の底面まで延びた部位は第１’の延部であり、前記第1’の吊り帯体の前記Ｕターン部の他方から前記袋体の底面まで延びた部位は第２’の延部であり、前記第１’の延部及び前記第２’の延部は前記袋体の側面及び底面に取り付けられ、
底面視、時計回りに、前記第１の延部、前記第２の延部、前記第１’の延部、前記第２’の延部の順に配置され、
前記袋体の底面において、前記第１の延部と前記第１’の延部とは、前記袋体の底面の中心を通り、前記第１の延部の上に前記第１’の延部が又は前記第１’の延部の上に前記第１の延部が重なると共に、該重なった前記第１の延部と前記第１’の延部とは接続され、
前記袋体の底面において、前記第２の延部と前記第２’の延部とは、前記袋体の底面の中心を通り、前記第２の延部の上に前記第２’の延部が又は前記第２’の延部の上に前記第２の延部が重なると共に、該重なった前記第２の延部と前記第２’の延部とは接続されている
ことを特徴とする土嚢袋。
【請求項５】
袋体の上部開口部より突出して設けられた第1の吊り帯体のＵターン部の折り返し部を含んで前記第1の吊り帯体の長手方向に沿って折られると共に前記第1の吊り帯体を重ねて接合された第１の重ね部と、
この第１の重ね部の前記第1の吊り帯体のＵターン部の折り返し部を残して前記第1の吊り帯体のＵターン部の中途部同士が接合された第２の重ね部と、
前記袋体の上部開口部より突出して設けられた第1’の吊り帯体のＵターン部の折り返し部を含んで前記第1’の吊り帯体の長手方向に沿って折られると共に前記第1の吊り帯体を重ねて接合された第１’の重ね部と、
この第１’の重ね部の前記第1’の吊り帯体のＵターン部の折り返し部を残して前記第1’の吊り帯体のＵターン部の中途部同士が接合された第２’の重ね部と、
を備えていることを特徴とする請求項４記載の土嚢袋。
【請求項６】
袋体の底面において、第１の延部と第１’の延部とが接続された第１の接続体は、前記袋体の底面の中心からそれぞれ前記袋体の底面の半径の１／２を超えない範囲で前記袋体の底面に取り付けない第１の非接合部と、前記第１の非接合部を除いた前記第１の接続体の前記袋体の底面に取り付ける第１の接合部とを有し、
前記袋体の底面において、第２の延部と第２’の延部とが接続された第２の接続体は、前記袋体の底面の中心からそれぞれ前記袋体の底面の半径の１／２を超えない範囲で前記袋体の底面に取り付けない第２の非接合部と、前記第１の非接合部を除いた前記第２の接続体の前記袋体の底面に取り付ける第２の接合部とを有していることを特徴とする請求項４記載の土嚢袋。
【請求項７】
袋体、複数の環状側面帯体、第1の吊り帯体及び第1’の吊り帯体が、少なくとも、土中や水中で微生物によって生分解可能なポリ乳酸系生分解性樹脂で形成されている
ことを特徴とする請求項１又は４記載の土嚢袋。
【発明の詳細な説明】
【技術分野】
【０００１】
本発明は、土嚢袋に係り、特に、強度を向上させることができる土嚢袋に関する。
【背景技術】
【０００２】
従来、例えば、盛土等に適用可能な有底円筒形状の透水性の袋体を有する大型の土嚢袋がある（例えば、特許文献１参照）。
この土嚢袋にあっては、全体として、強度を保つように、袋体の側面に複数の環状補強帯と、該複数の環状補強帯を直交する複数の吊り帯とを備えている。
【特許文献１】特許第３７０２８７１号公報
【発明の開示】
【発明が解決しようとする課題】
【０００３】
しかしながら、上述した土嚢袋にあっては、袋体の底面において、該底面の中心を介して吊り帯の端部同士が離間しているため（特許文献１の図２参照）、強度的に弱く、強度的に強くするよう袋体の素材自体を強くしなければならないという問題点が生じた。
【０００４】
本発明は、上記の問題点を除去するようにした土嚢袋を提供することを目的とする。
【課題を解決するための手段】
【０００５】
本発明の土嚢袋は、上部開口部より土を入れて収納する有底円筒形状の透水性の袋体と、この袋体の側面に取り付けられると共に、前記袋体の底面に略平行な複数の環状側面帯体と、前記袋体に離間して取り付けられ、前記袋体の上部開口部より突出して設けられたＵターン部を有した第1の吊り帯体と、この第1の吊り帯体の前記Ｕターン部の一方から前記袋体の底面まで延びた部位は第１の延部であり、前記第1の吊り帯体の前記Ｕターン部の他方から前記袋体の底面まで延びた部位は第２の延部であり、前記第１の延部及び前記第２の延部は前記袋体の側面及び底面に取り付けられ、前記袋体に離間して取り付けられ、前記袋体の上部開口部より突出して設けられたＵターン部を有した第1’の吊り帯体と、この第1’の吊り帯体の前記Ｕターン部の一方から前記袋体の底面まで延びた部位は第１’の延部であり、前記第1’の吊り帯体の前記Ｕターン部の他方から前記袋体の底面まで延びた部位は第２’の延部であり、前記第１’の延部及び前記第２’の延部は前記袋体の側面及び底面に取り付けられ、前記袋体に離間して取り付けられ、前記袋体の上部開口部より突出して設けられたＵターン部を有した第1”の吊り帯体と、この第1”の吊り帯体の前記Ｕターン部の一方から前記袋体の底面まで延びた部位は第１”の延部であり、前記第1”の吊り帯体の前記Ｕターン部の他方から前記袋体の底面まで延びた部位は第２”の延部であり、前記第１”の延部及び前記第２”の延部は前記袋体の側面及び底面に取り付けられ、底面視、時計回りに、前記第１の延部、前記第２の延部、前記第１’の延部、前記第２’の延部、前記第１”の延部、前記第２”の延部の順に配置され、前記袋体の底面において、前記第１の延部と前記第２’の延部とは、前記袋体の底面の中心を通り、前記第１の延部の上に前記第２’の延部が又は前記第２’の延部の上に前記第１の延部が重なると共に、該重なった前記第１の延部と前記第２’の延部とは接続され、前記袋体の底面において、前記第２の延部と前記第１”の延部とは、前記袋体の底面の中心を通り、前記第２の延部の上に前記第１”の延部が又は前記第１”の延部の上に前記第２の延部が重なると共に、該重なった前記第１の延部と前記第２’の延部とは接続され、前記袋体の底面において、前記第１’の延部と第２”の延部とは、前記袋体の底面の中心を通り、前記第１’の延部の上に前記第２”の延部が又は前記第２”の延部の上に前記第１’の延部が重なると共に、該重なった前記第１’の延部と前記第２”の延部とは接続されているものである。
【０００６】
また、請求項２記載の土嚢袋は、請求項１記載の土嚢袋において、袋体の上部開口部より突出して設けられた第1の吊り帯体のＵターン部の折り返し部を含んで前記第1の吊り帯体の長手方向に沿って折られると共に前記第1の吊り帯体を重ねて接合された第１の重ね部と、この第１の重ね部の前記第1の吊り帯体のＵターン部の折り返し部を残して前記第1の吊り帯体のＵターン部の中途部同士が接合された第２の重ね部と、前記袋体の上部開口部より突出して設けられた第1’の吊り帯体のＵターン部の折り返し部を含んで前記第1’の吊り帯体の長手方向に沿って折られると共に前記第1の吊り帯体を重ねて接合された第１’の重ね部と、この第１’の重ね部の前記第1’の吊り帯体のＵターン部の折り返し部を残して前記第1’の吊り帯体のＵターン部の中途部同士が接合された第２’の重ね部と、前記袋体の上部開口部より突出して設けられた第1”の吊り帯体のＵターン部の折り返し部を含んで前記第1”の吊り帯体の長手方向に沿って折られると共に前記第1”の吊り帯体を重ねて接合された第１”の重ね部と、この第１”の重ね部の前記第1”の吊り帯体のＵターン部の折り返し部を残して前記第1”の吊り帯体のＵターン部の中途部同士が接合された第２”の重ね部とを備えているものである。
【０００７】
また、請求項３記載の土嚢袋は、請求項１記載の土嚢袋において、袋体の底面において、第１の延部と第２’の延部とが接続された第１の接続体は、前記袋体の底面の中心からそれぞれ前記袋体の底面の半径の１／２を超えない範囲で前記袋体の底面に取り付けない第１の非接合部と、前記第１の非接合部を除いた前記第１の接続体の前記袋体の底面に取り付ける第１の接合部とを有し、前記袋体の底面において、第２の延部と第１”の延部とが接続された第２の接続体は、前記袋体の底面の中心からそれぞれ前記袋体の底面の半径の１／２を超えない範囲で前記袋体の底面に取り付けない第２の非接合部と、前記第１の非接合部を除いた前記第２の接続体の前記袋体の底面に取り付ける第２の接合部とを有し、前記袋体の底面において、第１’の延部と第２”の延部とが接続された第３の接続体は、前記袋体の底面の中心からそれぞれ前記袋体の底面の半径の１／２を超えない範囲で前記袋体の底面に取り付けない第３の非接合部と、前記第３の非接合部を除いた前記第３の接続体の前記袋体の底面に取り付ける第３の接合部とを有しているものである。
【０００８】
また、請求項４記載の土嚢袋は、上部開口部より土を入れて収納する有底円筒形状の透水性の袋体と、この袋体の側面に取り付けられると共に、前記袋体の底面に略平行な複数の環状側面帯体と、前記袋体に離間して取り付けられ、前記袋体の上部開口部より突出して設けられたＵターン部を有した第1の吊り帯体と、この第1の吊り帯体の前記Ｕターン部の一方から前記袋体の底面まで延びた部位は第１の延部であり、前記第1の吊り帯体の前記Ｕターン部の他方から前記袋体の底面まで延びた部位は第２の延部であり、前記第１の延部及び前記第２の延部は前記袋体の側面及び底面に取り付けられ、前記袋体に離間して取り付けられ、前記袋体の上部開口部より突出して設けられたＵターン部を有した第1’の吊り帯体と、この第1’の吊り帯体の前記Ｕターン部の一方から前記袋体の底面まで延びた部位は第１’の延部であり、前記第1’の吊り帯体の前記Ｕターン部の他方から前記袋体の底面まで延びた部位は第２’の延部であり、前記第１’の延部及び前記第２’の延部は前記袋体の側面及び底面に取り付けられ、底面視、時計回りに、前記第１の延部、前記第２の延部、前記第１’の延部、前記第２’の延部の順に配置され、前記袋体の底面において、前記第１の延部と前記第１’の延部とは、前記袋体の底面の中心を通り、前記第１の延部の上に前記第１’の延部が又は前記第１’の延部の上に前記第１の延部が重なると共に、該重なった前記第１の延部と前記第１’の延部とは接続され、前記袋体の底面において、前記第２の延部と前記第２’の延部とは、前記袋体の底面の中心を通り、前記第２の延部の上に前記第２’の延部が又は前記第２’の延部の上に前記第２の延部が重なると共に、該重なった前記第２の延部と前記第２’の延部とは接続されているものである。
【０００９】
また、請求項５記載の土嚢袋は、請求項４記載の土嚢袋において、袋体の上部開口部より突出して設けられた第1の吊り帯体のＵターン部の折り返し部を含んで前記第1の吊り帯体の長手方向に沿って折られると共に前記第1の吊り帯体を重ねて接合された第１の重ね部と、この第１の重ね部の前記第1の吊り帯体のＵターン部の折り返し部を残して前記第1の吊り帯体のＵターン部の中途部同士が接合された第２の重ね部と、前記袋体の上部開口部より突出して設けられた第1’の吊り帯体のＵターン部の折り返し部を含んで前記第1’の吊り帯体の長手方向に沿って折られると共に前記第1の吊り帯体を重ねて接合された第１’の重ね部と、この第１’の重ね部の前記第1’の吊り帯体のＵターン部の折り返し部を残して前記第1’の吊り帯体のＵターン部の中途部同士が接合された第２’の重ね部とを備えているものである。
【００１０】
また、請求項６記載の土嚢袋は、請求項４記載の土嚢袋において、袋体の底面において、第１の延部と第１’の延部とが接続された第１の接続体は、前記袋体の底面の中心からそれぞれ前記袋体の底面の半径の１／２を超えない範囲で前記袋体の底面に取り付けない第１の非接合部と、前記第１の非接合部を除いた前記第１の接続体の前記袋体の底面に取り付ける第１の接合部とを有し、前記袋体の底面において、第２の延部と第２’の延部とが接続された第２の接続体は、前記袋体の底面の中心からそれぞれ前記袋体の底面の半径の１／２を超えない範囲で前記袋体の底面に取り付けない第２の非接合部と、前記第１の非接合部を除いた前記第２の接続体の前記袋体の底面に取り付ける第２の接合部とを有しているものである。
【００１１】
また、請求項７記載の土嚢袋は、請求項１又は４記載の土嚢袋において、袋体、複数の環状側面帯体、第1の吊り帯体及び第1’の吊り帯体が、少なくとも、土中や水中で微生物によって生分解可能なポリ乳酸系生分解性樹脂で形成されているものである。
【発明の効果】
【００１２】
請求項１記載の土嚢袋によれば、第１の延部及び第２の延部は袋体の側面及び底面に取り付けられ、また、第１’の延部及び第２’の延部は前記袋体の側面及び底面に取り付けられ、また、第１”の延部及び第２”の延部は前記袋体の側面及び底面に取り付けられ、しかも、前記袋体の底面において、第１の延部と第２’の延部とは、前記袋体の底面の中心を通り、前記第１の延部の上に前記第２’の延部が又は前記第２’の延部の上に前記第１の延部が重なると共に、該重なった前記第１の延部と前記第２’の延部とは接続され、また、前記袋体の底面において、第２の延部と第１”の延部とは、前記袋体の底面の中心を通り、前記第２の延部の上に前記第１”の延部が又は前記第１”の延部の上に前記第２の延部が重なると共に、該重なった前記第１の延部と前記第２’の延部とは接続され、また、前記袋体の底面において、第１’の延部と第２”の延部とは、前記袋体の底面の中心を通り、前記第１’の延部の上に前記第２”の延部が又は前記第２”の延部の上に前記第１’の延部が重なると共に、該重なった前記第１’の延部と前記第２”の延部とは接続されているため、袋体の底面が補強され、袋体の素材自体を強くしなくても、土を収納する土嚢袋の強度を向上させることができる。
【００１３】
また、請求項２記載の土嚢袋によれば、上述した請求項１記載の発明の効果に加え、袋体の上部開口部より突出して設けられた第1の吊り帯体のＵターン部の折り返し部を含んで前記第1の吊り帯体の長手方向に沿って折られると共に前記第1の吊り帯体を重ねて接合された第１の重ね部と、前記袋体の上部開口部より突出して設けられた第1’の吊り帯体のＵターン部の折り返し部を含んで前記第1’の吊り帯体の長手方向に沿って折られると共に前記第1の吊り帯体を重ねて接合された第１’の重ね部と、前記袋体の上部開口部より突出して設けられた第1”の吊り帯体のＵターン部の折り返し部を含んで前記第1”の吊り帯体の長手方向に沿って折られると共に前記第1”の吊り帯体を重ねて接合された第１”の重ね部とを有するため、第1の吊り帯体、第1’の吊り帯体及び第1”の吊り帯体の強度を強くすることができ、また、第１の重ね部の内、第1の吊り帯体のＵターン部の中途部同士が接合されていない第1の吊り帯体のＵターン部の折り返し部の側にループ状の穴が、第１’の重ね部の内、第1’の吊り帯体のＵターン部の中途部同士が接合されていない第1’の吊り帯体のＵターン部の折り返し部の側にループ状の穴が、 第１”の重ね部の内、第1”の吊り帯体のＵターン部の中途部同士が接合されていない第1”の吊り帯体のＵターン部の折り返し部の側にループ状の穴が、それぞれ形成され、該ループ状の穴を「クレーン、ヘリコプター等で吊り上げる際の係合部」として利用することができ、取付作業が容易で、しかも、取付位置が安定して安全性をも高めることができる。
【００１４】
また、請求項４記載の土嚢袋によれば、第１の延部及び第２の延部は袋体の側面及び底面に取り付けられ、また、第１’の延部及び第２’の延部は前記袋体の側面及び底面に取り付けられ、しかも、前記袋体の底面において、第１の延部と第１’の延部とは、前記袋体の底面の中心を通り、前記第１の延部の上に前記第１’の延部が又は前記第１’の延部の上に前記第１の延部が重なると共に、該重なった前記第１の延部と前記第１’の延部とは接続され、また、前記袋体の底面において、第２の延部と第２’の延部とは、前記袋体の底面の中心を通り、前記第２の延部の上に前記第２’の延部が又は前記第２’の延部の上に前記第２の延部が重なると共に、該重なった前記第２の延部と前記第２’の延部とは接続されているため、袋体の底面が補強され、袋体の素材自体を強くしなくても、土を収納する土嚢袋の強度を向上させることができる。
【００１５】
また、請求項５記載の土嚢袋によれば、上述した請求項４記載の発明の効果に加え、袋体の上部開口部より突出して設けられた第1の吊り帯体のＵターン部の折り返し部を含んで前記第1の吊り帯体の長手方向に沿って折られると共に前記第1の吊り帯体を重ねて接合された第１の重ね部と、前記袋体の上部開口部より突出して設けられた第1’の吊り帯体のＵターン部の折り返し部を含んで前記第1’の吊り帯体の長手方向に沿って折られると共に前記第1の吊り帯体を重ねて接合された第１’の重ね部とを有するため、第1の吊り帯体及び第1’の吊り帯体の強度を強くすることができ、また、第１の重ね部の内、第1の吊り帯体のＵターン部の中途部同士が接合されていない第1の吊り帯体のＵターン部の折り返し部の側にループ状の穴が、第１’の重ね部の内、第1’の吊り帯体のＵターン部の中途部同士が接合されていない第1’の吊り帯体のＵターン部の折り返し部の側にループ状の穴が、それぞれ形成され、該ループ状の穴を「クレーン、ヘリコプター等で吊り上げる際の係合部」として利用することができ、取付作業が容易で、しかも、取付位置が安定して安全性をも高めることができる。
【発明を実施するための最良の形態】
【００１６】
本発明の土嚢袋の一実施例を図面を参照して説明する。
図１において、１０は土嚢袋で、この土嚢袋１０は、例えば、約２トン程度の土砂等を収納するもので、土砂等を収納した土嚢袋１０は、例えば、盛土に使用される。土嚢袋１０は、図５に示すように、上部開口部１ａより土を入れて収納する有底円筒形状の透水性の袋体１を有している。
また、袋体１の上部開口部１ａは蓋２で覆われ、この蓋２は、上部開口部１ａの縁部に取り付けられ、蓋２の先端部を紐３で締めるようになっており（図２参照）、土嚢袋１０は巾着袋となっている。
また、図１に示す４は環状側面帯体で、環状側面帯体４は袋体１の側面の周囲を囲むよう環状に形成され、袋体１の側面に、例えば、縫製により取り付けられている。環状側面帯体４は、複数、本実施例では、３個で、袋体１の底面１ｂに略平行に間隔を設けて袋体１の側面に取り付けられている。
【００１７】
また、図１に示す５は第1の吊り帯体で、第1の吊り帯体５は袋体１に離間（例えば、図１の部位５ａ、５ｂ参照）して取り付けられ、袋体１の上部開口部１ａより突出して設けられたＵターン部５Ａを有している。この第1の吊り帯体５のＵターン部５Ａの一方（例えば、図１の部位５ａ参照）から袋体１の底面１ｂまで延びた部位は第１の延部５Ｃであり、第1の吊り帯体５のＵターン部５Ａの他方（例えば、図１の部位５ｂ参照）から袋体１の底面１ｂまで延びた部位は第２の延部５Ｄである（図１乃至図７参照）  。
また、５’は第1’の吊り帯体で、第1’の吊り帯体５’は袋体１に離間（例えば、図２の部位５’ａ、５’ｂ参照）して取り付けられ、袋体１の上部開口部１ａより突出して設けられたＵターン部５’Ａを有している。この第1’の吊り帯体５’のＵターン部５’Ａの一方（例えば、図２の部位５’ａ参照）から袋体１の底面１ｂまで延びた部位は第１’の延部５’Ｃであり、第1’の吊り帯体５’のＵターン部５’Ａの他方（例えば、図２の部位５’ｂ参照）から袋体１の底面１ｂまで延びた部位は第２’の延部５’Ｄである（図３、図５及び図７参照）。
また、５”は第1”の吊り帯体で、第1”の吊り帯体５”は袋体１に離間（例えば、図２の部位５”ａ、５”ｂ参照）して取り付けられ、袋体１の上部開口部１ａより突出して設けられたＵターン部５”Ａを有している。この第1”の吊り帯体５”のＵターン部５”Ａの一方（例えば、図２の部位５”ａ参照）から袋体１の底面１ｂまで延びた部位は第１”の延部５”Ｃであり、第1”の吊り帯体５”のＵターン部５”Ａの他方（例えば、図２の部位５”ｂ参照）から袋体１の底面１ｂまで延びた部位は第２”の延部５”Ｄである（図３、図５及び図７参照）。
従って、図３に示すように、底面視、時計回りに、第１の延部５Ｃ、第２の延部５Ｄ、第１’の延部５’Ｃ、第２’の延部５’Ｄ、第１”の延部５”Ｃ、第２”の延部５”Ｄの順に配置されるようになっている。
【００１８】
また、図３に示すように、袋体１の底面１ｂにおいて、第１の延部５Ｃと第２’の延部５’Ｄとは、底面視、袋体１の底面１ｂの中心Ｏを通り、第２’の延部５’Ｄ上に第１の延部５Ｃが重なる（図４参照、又は、逆に、図示しないが、第１の延部５Ｃの上に第２’の延部５’Ｄが重なっても良い。）と共に、該重なった第１の延部５Ｃと第２’の延部５’Ｄとは接続（例えば、縫製により接続される。）されている。なお、図３の符号Ｃは第１の延部５Ｃの端部を、図３の符号Ｄ’は第２’の延部５’Ｄの端部を、それぞれ示している。
また、袋体１の底面１ｂにおいて、第１の延部５Ｃと第２’の延部５’Ｄとが接続された第１の接続体（図３の符号５Ｃと５’Ｄの間）は、底面視、袋体１の底面１ｂの中心Ｏからそれぞれ袋体１の底面１ｂの半径の１／２を超えない範囲で袋体１の底面１ｂに取り付けない第１の非接合部（図３の符号Ｄ’とＣの間）と、第１の非接合部（図３の符号Ｄ’とＣの間）を除いた第１の接続体（図３の符号５Ｃと５’Ｄの間）の袋体１の底面１ｂに取り付ける第１の接合部（図３の符号５ＣとＤ’の間、図３の符号５’ＤとＣの間）とを有している。取り付けは、例えば、縫製による。
【００１９】
また、図３に示すように、袋体１の底面１ｂにおいて、第２の延部５Ｄと第１”の延部５”Ｃとは、底面視、袋体１の底面１ｂの中心Ｏを通り、第１”の延部５”Ｃの上に第２の延部５Ｄが重なる（図４参照、又は、逆に、図示しないが、第２の延部５Ｄの上に第１”の延部５”Ｃが重なっても良い。）と共に、該重なった第１”の延部５”Ｃと第２の延部５Ｄとは接続（例えば、縫製により接続される。）されている。なお、図３の符号Ｄは第２の延部５Ｄの端部を、図３の符号Ｃ”は第１”の延部５”Ｃの端部を、それぞれ示している。
また、袋体１の底面１ｂにおいて、第２の延部５Ｄと第１”の延部５”Ｃとが接続された第２の接続体（図３の符号５Ｄと５”Ｃの間）は、底面視、袋体１の底面１ｂの中心Ｏからそれぞれ袋体１の底面１ｂの半径の１／２を超えない範囲で袋体１の底面１ｂに取り付けない第２の非接合部（図３の符号Ｃ”とＤの間）と、第２の非接合部（図３の符号Ｃ”とＤの間）を除いた第２の接続体（図３の符号５Ｄと５”Ｃの間）の袋体１の底面１ｂに取り付ける第２の接合部（図３の符号５ＤとＣ”の間、図３の符号５”ＣとＤの間）とを有している。取り付けは、例えば、縫製による。
【００２０】
また、図３に示すように、袋体１の底面１ｂにおいて、第１’の延部５’Ｃと第２”の延部５”Ｄとは、底面視、袋体１の底面１ｂの中心Ｏを通り、第１’の延部５’Ｃの上に第２”の延部５”Ｄが重なる（図４参照、又は、逆に、図示しないが、第２”の延部５”Ｄの上に第１’の延部５’Ｃが重なっても良い。）と共に、該重なった第２”の延部５”Ｄと第１’の延部５’Ｃとは接続（例えば、縫製により接続される。）されている。なお、図３の符号Ｄ”は第２”の延部５”Ｄの端部を、図３の符号Ｃ’は第１’の延部５’Ｃの端部を、それぞれ示している。
また、袋体１の底面１ｂにおいて、第１’の延部５’Ｃと第２”の延部５”Ｄとが接続された第３の接続体（図３の符号５’Ｃと５”Ｄの間）は、底面視、袋体１の底面１ｂの中心Ｏからそれぞれ袋体１の底面１ｂの半径の１／２を超えない範囲で袋体１の底面１ｂに取り付けない第３の非接合部（図３の符号Ｄ”とＣ’の間）と、第３の非接合部（図３の符号Ｄ”とＣ’の間）を除いた第３の接続体（図３の符号５’Ｃと５”Ｄの間）の袋体１の底面１ｂに取り付ける第２の接合部（図３の符号５’ＣとＤ”の間、図３の符号５”ＤとＣ’の間）とを有している。取り付けは、例えば、縫製による。
その結果、袋体１の底面１ｂが補強され、袋体１の素材自体を強くしなくても、土を収納する土嚢袋１０の強度を向上させることができる。
【００２１】
また、図８（ｂ）に示す５Ｅは、袋体１の上部開口部１ａより突出して設けられた第1の吊り帯体５のＵターン部５Ａの折り返し部を含んで第1の吊り帯体５の長手方向に沿って折られると共に第1の吊り帯体５を重ねて接合（例えば、縫製）された第１の重ね部で、また、図８（ｃ）に示す５Ｆは、第１の重ね部５Ｅの第1の吊り帯体５のＵターン部５Ａの折り返し部を残して第1の吊り帯体５のＵターン部５Ａの中途部同士が接合（例えば、縫製）された第２の重ね部である。
また、図１、図２及び図５に示す５’Ｅは、図８（ｂ）に示す５Ｅと同様、袋体１の上部開口部１ａより突出して設けられた第1’の吊り帯体５’のＵターン部５’Ａの折り返し部を含んで第1’の吊り帯体５’の長手方向に沿って折られると共に第1’の吊り帯体５’を重ねて接合（例えば、縫製）された第１’の重ね部で、また、５’Ｆは、図８（ｃ）に示す５Ｆと同様、第１’の重ね部５’Ｅの第1’の吊り帯体５’のＵターン部５’Ａの折り返し部を残して第1’の吊り帯体５’のＵターン部５’Ａの中途部同士が接合（例えば、縫製）された第２’の重ね部である。
また、図１、図２及び図５に示す５”Ｅは、図８（ｂ）に示す５Ｅと同様、袋体１の上部開口部１ａより突出して設けられた第1”の吊り帯体５”のＵターン部５”Ａの折り返し部を含んで第1”の吊り帯体５”の長手方向に沿って折られると共に第1”の吊り帯体５”を重ねて接合（例えば、縫製）された第１”の重ね部で、また、５”Ｆは、図８（ｃ）に示す５Ｆと同様、第１”の重ね部５”Ｅの第1”の吊り帯体５”のＵターン部５”Ａの折り返し部を残して第1”の吊り帯体５”のＵターン部５”Ａの中途部同士が接合（例えば、縫製）された第２”の重ね部である。
【００２２】
そして、図５に示すように、第１の重ね部５Ｅの内、第1の吊り帯体５のＵターン部５Ａの中途部同士が接合されていない第1の吊り帯体５のＵターン部５の折り返し部の側にループ状の穴Ｘが、第１’の重ね部５’Ｅの内、第1’の吊り帯体５’のＵターン部５’Ａの中途部同士が接合されていない第1’の吊り帯体５’のＵターン部５’Ａの折り返し部の側にループ状の穴Ｙが、 第１”の重ね部５”の内、第1”の吊り帯体５”のＵターン部５”Ａの中途部同士が接合されていない第1”の吊り帯体５”のＵターン部５”Ａの折り返し部の側にループ状の穴Ｚが、それぞれ形成され、該ループ状の穴Ｘ、Ｙ  、Ｚを「クレーン、ヘリコプター等で吊り上げる際の係合部」として利用することができ（図１参照）、取付作業が容易で、しかも、取付位置が安定して安全性をも高めることができる。
なお、上述した袋体１、複数の環状側面帯体４、第1の吊り帯体５、第1’の吊り帯体５’、及び第1”の吊り帯体５”は、望ましくは、土中や水中で微生物によって生分解可能なポリ乳酸系生分解性樹脂で形成されているのが良い。
【００２３】
また、上述した実施例においては、第1の吊り帯体５、第1’の吊り帯体５’及び第1”の吊り帯体５”と３個設けたが、本発明にあっては、これに限らず、３個以上でも良く、場合により、図９及び図１０に示すように、第1の吊り帯体５、第1’の吊り帯体５’と２個でも良い。
【００２４】
即ち、上述した実施例においては、第1の吊り帯体５、第1’の吊り帯体５’、第1”の吊り帯体５”の内、第1”の吊り帯体５”を省略し、第1の吊り帯体５と第1’の吊り帯体５’とが、袋体１の底面１ｂにおいて、直交するように設ければ良い（図９及び図１０参照）。
かかる場合の土嚢袋１０にあっては、図１０に示すように、底面視、時計回りに、第１の延部５Ｃ、第２の延部５Ｄ、第１’の延部５’Ｃ、第２の延部５’Ｄの順に配置される。
袋体１の底面１ｂにおいて、第１の延部５Ｃと第１’の延部５’Ｃとは、底面視、袋体１の底面１ｂの中心Ｏを通り、第１の延部５Ｃの上に第１’の延部５’Ｃが重なる（又は、逆に、図示しないが、第１’の延部５’Ｃの上に第１の延部５Ｃが重なっても良い。）と共に、該重なった第１’の延部５’Ｃと第１の延部５Ｃとは接続（例えば、縫製により接続される。）されている。なお、図３の符号Ｃは第１の延部５Ｃの端部を、図３の符号Ｃ’は第１’の延部５’Ｃの端部を、それぞれ示している。
また、袋体１の底面１ｂにおいて、第１の延部５Ｃと第１’の延部５’Ｃとが接続された第１の接続体（図１０の符号５Ｃと５’Ｃの間）は、底面視、袋体１の底面１ｂの中心Ｏからそれぞれ袋体１の底面１ｂの半径の１／２を超えない範囲で袋体１の底面１ｂに取り付けない第１の非接合部（図１０の符号ＣとＣ’の間）と、第１の非接合部（図１０の符号ＣとＣ’の間）を除いた第１の接続体（図３の符号５Ｃと５’Ｃの間）の袋体１の底面１ｂに取り付ける第１の接合部（図１０の符号５ＣとＣ’の間、図１０の符号５’ＣとＣの間）とを有している。取り付けは、例えば、縫製による。
【００２５】
また、袋体１の底面１ｂにおいて、第２の延部５Ｄと第２’の延部５’Ｄとは、底面視、袋体１の底面１ｂの中心Ｏを通り、第２の延部５Ｄの上に第２’の延部５’Ｄが重なる（又は、逆に、図示しないが、第２’の延部５’Ｄの上に第２の延部５Ｄが重なっても良い。）と共に、該重なった第２’の延部５’Ｄと第２の延部５Ｄとは接続（例えば、縫製により接続される。）されている。なお、図３の符号Ｄは第２の延部５Ｄの端部を、図３の符号Ｄ’は第２’の延部５’Ｄの端部を、それぞれ示している。
また、袋体１の底面１ｂにおいて、第２の延部５Ｄと第２’の延部５’Ｄとが接続された第２の接続体（図１０の符号５Ｄと５’Ｄの間）は、底面視、袋体１の底面１ｂの中心Ｏからそれぞれ袋体１の底面１ｂの半径の１／２を超えない範囲で袋体１の底面１ｂに取り付けない第２の非接合部（図１０の符号ＤとＤ’の間）と、第２の非接合部（図１０の符号ＤとＤ’の間）を除いた第２の接続体（図３の符号５Ｄと５’Ｄの間）の袋体１の底面１ｂに取り付ける第２の接合部（図１０の符号５ＤとＤ’の間、図１０の符号５’ＤとＤの間）とを有している。取り付けは、例えば、縫製による。
【００２６】
その結果、図９及び図１０に示す土嚢袋１０にあっては、図１乃至図８に示す土嚢袋１０と同様、袋体１の底面１ｂが補強され、袋体１の素材自体を強くしなくても、土を収納する土嚢袋１０の強度を向上させることができる。
なお、上述した袋体１、複数の環状側面帯体４、第1の吊り帯体５及び第1’の吊り帯体５’は、望ましくは、土中や水中で微生物によって生分解可能なポリ乳酸系生分解性樹脂で形成されているのが良い。また、本実施例においては、上述の実施例と同一部分に同一符号を付してその説明を一部省略している。
【図面の簡単な説明】
【００２７】
【図１】図１は、本発明の一実施例の土嚢袋が運搬される状態の概略的正面図である。
【図２】図２は、図１の土嚢袋の概略的平面図である。
【図３】図３は、図２の土嚢袋の概略的底面図である。
【図４】図４は、図３の４−４線による概略的断面図である。
【図５】図５は、図１の土嚢袋の開口部を介して土壌を入れる状態の概略的正面図である。
【図６】図６は、図５の６−６線による概略的断面図である。
【図７】図７は、図５の７−７線による概略的断面図である。
【図８】図８は、図１の土嚢袋の第1の吊り帯の製造過程を示すもので、図８（ａ）は、第1の吊り帯体のＵターン部の折り返し部が袋体の上部開口部より突出して設けられた状態を、図８（ｂ）は、図８（ａ）の第1の吊り帯体の長手方向に沿って第1の吊り帯体が折られて接合された状態を、図８（ｃ）は、図８（ｂ）の第1の吊り帯体のＵターン部の折り返し部を残して前記第1の吊り帯体のＵターン部の中途部同士が接合された状態を、それぞれ示す概略的斜視図である。
【図９】図９は、図２の土嚢袋と異なる他の実施例の土嚢袋の概略的平面図である。
【図１０】図１０は、図９の土嚢袋の概略的底面図である。
【符号の説明】
【００２８】
１        袋体
１ｂ      底面
５Ｃ      第１の延部
５’Ｃ    第１’の延部
５”Ｃ    第１”の延部
５Ｄ      第２の延部
５’Ｄ    第２’の延部
５”Ｄ    第２”の延部
１０      土嚢袋
Ｏ        中心
【図１】
2008223248.tif 000003
【図２】
2008223248.tif 000004
【図３】
2008223248.tif 000005
【図４】
2008223248.tif 000006
【図５】
2008223248.tif 000007
【図６】
2008223248.tif 000008
【図７】
2008223248.tif 000009
【図８】
2008223248.tif 000010
【図９】
2008223248.tif 000011
【図１０】
2008223248.tif 000012